(57)【要約】  【課題】  簡単な構成で、多数のディスクを収納することができ、しかもディスクの交換が容易なディスクチェンジャー装置を提供する。  【解決手段】  本装置は、ディスクを前後に搬送するスライドトレイ１と、ディスクを上下に搬送する昇降トレイ２と、ディスクを垂直に積み上げる方式で収納するマガジンケース３と、ディスクを回転駆動して情報の記録或いは再生を行うディスクドライブ４とで主として構成されており、これらが筐体５内に配設されている。スライドトレイ１は、これに載置されたディスクを装置の前後方向に搬送するものであり、ディスク着脱位置，ディスク受け渡し位置，及びディスクチャッキング位置の、３つの停止位置を有している。ディスク着脱位置は、筐体５の前面に設けた開口５ａよりスライドトレイ１が前方に突出し、ユーザーによるディスクの着脱が可能となった位置である。【選択図】      図１
2006331526.tif 000002
【特許請求の範囲】
【請求項１】
ディスクを略水平方向に搬送するスライドトレイと、ディスクを略垂直方向に搬送する
昇降トレイと、ディスクを垂直に積み上げるようにして収納するマガジンケースと、ディ
スクを回転駆動して情報の記録或いは再生を行うディスクドライブとを備え、
前記スライドトレイは、ディスクチャッキング位置にて前記ディスクドライブに対しデ
ィスクの供給或いは排出を行うとともに、ディスク受け渡し位置にて前記昇降トレイに対
しディスクの受け渡しを行い、前記昇降トレイは、前記マガジンケースに対しディスクの
収納或いは取り出しを行うディスクチェンジャー装置において、
前記スライドトレイが装置外部に突出してディスクの着脱が可能となるディスク着脱位
置を設け、
前記ディスク着脱位置は、前記スライドトレイが装置前方に突出し、ユーザーによるデ
ィスクの着脱が可能となった位置であり、前記ディスク受け渡し位置は、前記スライドト
レイが装置内部に引き込まれ、前記ディスクドライブの前方に突出した状態で、前記昇降
トレイとの間でディスクの受け渡しが可能となった位置であり、前記ディスクチャッキン
グ位置は、前記スライドトレイが更に装置の奥側に移動し、前記ディスクドライブの内部
に引き込まれ、ディスクがチャッキング可能となった位置であり、
ディスクを前記スライドトレイと前記昇降トレイとの間で受け渡すディスク受け渡し機
構と、前記スライドトレイが前記ディスク受け渡し位置となったことを検出するディスク
受け渡し位置検出スイッチを設けたことを特徴とするディスクチェンジャー装置。
【請求項２】
ディスクを略水平方向に搬送するスライドトレイと、ディスクを略垂直方向に搬送する
昇降トレイと、ディスクを垂直に積み上げるようにして収納するマガジンケースと、ディ
スクを回転駆動して情報の記録或いは再生を行うディスクドライブとを備え、
前記スライドトレイは、ディスクチャッキング位置にて前記ディスクドライブに対しデ
ィスクの供給或いは排出を行うとともに、ディスク受け渡し位置にて前記昇降トレイに対
しディスクの受け渡しを行い、前記昇降トレイは、前記マガジンケースに対しディスクの
収納或いは取り出しを行うディスクチェンジャー装置において、
前記スライドトレイが装置外部に突出してディスクの着脱が可能となるディスク着脱位
置を設けたことを特徴とするディスクチェンジャー装置。
【請求項３】
前記ディスク着脱位置は、前記スライドトレイが装置前方に突出し、ユーザーによるデ
ィスクの着脱が可能となった位置であり、前記ディスク受け渡し位置は、前記スライドト
レイが装置内部に引き込まれ、前記ディスクドライブの前方に突出した状態で、前記昇降
トレイとの間でディスクの受け渡しが可能となった位置であり、前記ディスクチャッキン
グ位置は、前記スライドトレイが更に装置の奥側に移動し、前記ディスクドライブの内部
に引き込まれ、ディスクがチャッキング可能となった位置であることを特徴とする請求項
２に記載のディスクチェンジャー装置。
【発明の詳細な説明】
【技術分野】
【０００１】
本発明は、ＣＤ，ＤＶＤ等のディスクを複数収納し、これらのディスクに対して情報の
記録或いは再生を行うディスクチェンジャー装置に関するものである。
【背景技術】
【０００２】
従来より、このような複数のディスクを収納し、所望のディスクに対して情報の記録或
いは再生を行うディスクチェンジャー装置が知られている。具体的には、業務用の通信カ
ラオケ装置や個人向けのＡＶ機器、更にはデータベース等にディスクチェンジャー装置が
用いられている。
【０００３】
このようなディスクチェンジャー装置は、映像，音声，文書等のデータを記録した複数
のディスクを、例えば垂直方向にディスクを積み上げる方式で予め収納しておき、所望の
ディスクを取り出してこれに記録されたデータを読み出し、その信号を外部に出力する等
の処理を行うものである。或いは、データをディスクに書き込む場合もある。
【０００４】
その他、或るディスクを再生中又は記録中に、それ以外の、再生又は記録に関わらない
ディスクを出し入れしたり交換したりできるディスクローディング装置が、特許文献１に
開示されている。これは、ディスクの着脱位置と再生位置との間を移動可能な第１トレイ
，第２トレイと、各トレイに載置されたディスクを再生するディスク再生手段と、そのデ
ィスク再生手段を再生位置と非再生位置との間で往復動させる再生手段移動機構と、を備
えたものである。
【０００５】
また、マガジンケースを必要とせず、しかも再生中にその他のディスクを交換可能とし
たディスク再生装置が、特許文献２に開示されている。これは、ディスクを載置するため
のサブトレイと、サブトレイを一定距離移動可能に保持するメイントレイと、段積み配置
された少なくとも３枚のメイントレイを一定距離移動可能に保持する再生装置筐体と、サ
ブトレイとメイントレイを選択的に移動するトレイ移動機構と、再生位置に置かれたディ
スクを再生する再生機構とからなるものである。
【特許文献１】特開２００３−１０９２７７号公報
【特許文献２】特開平７−２８２５２０号公報
【発明の開示】
【発明が解決しようとする課題】
【０００６】
しかしながら、上記従来のディスクチェンジャー装置では、マガジンケース等と呼ばれ
るディスク収納部に、ユーザーが予めディスクを収納しておかなければならず、またディ
スクの交換は、ディスク収納部を装置筐体から取り外した状態で行わなければならないの
で不便である。
【０００７】
また、上記特許文献１に記載のような構成では、ディスクの交換は容易であるが、例え
ば３枚以上の多数のディスクを収納できるようにはなっておらず、ディスクチェンジャー
装置として使用するには不十分である。また、上記特許文献２に記載のような構成では、
ディスクが載置される各段毎のメイントレイ及びサブトレイを駆動するようになっており
、装置が大掛かりでコストアップとなる上に、製造時や使用時におけるトラブルの要因と
なるおそれがある。
【０００８】
本発明は、以上のような問題点に鑑み、簡単な構成で、多数のディスクを収納すること
ができ、しかもディスクの交換が容易なディスクチェンジャー装置を提供することを目的
とする。
【課題を解決するための手段】
【０００９】
上記目的を達成するために、本発明では、ディスクを略水平方向に搬送するスライドト
レイと、ディスクを略垂直方向に搬送する昇降トレイと、ディスクを垂直に積み上げるよ
うにして収納するマガジンケースと、ディスクを回転駆動して情報の記録或いは再生を行
うディスクドライブとを備え、前記スライドトレイは、ディスクチャッキング位置にて前
記ディスクドライブに対しディスクの供給或いは排出を行うとともに、ディスク受け渡し
位置にて前記昇降トレイに対しディスクの受け渡しを行い、前記昇降トレイは、前記マガ
ジンケースに対しディスクの収納或いは取り出しを行う構成において、前記スライドトレ
イが装置外部に突出してディスクの着脱が可能となるディスク着脱位置を設けたことを特
徴とする。
【００１０】
また、前記ディスク着脱位置は、前記スライドトレイが装置前方に突出し、ユーザーに
よるディスクの着脱が可能となった位置であり、前記ディスク受け渡し位置は、前記スラ
イドトレイが装置内部に引き込まれ、前記ディスクドライブの前方に突出した状態で、前
記昇降トレイとの間でディスクの受け渡しが可能となった位置であり、前記ディスクチャ
ッキング位置は、前記スライドトレイが更に装置の奥側に移動し、前記ディスクドライブ
の内部に引き込まれ、ディスクがチャッキング可能となった位置であることを特徴とする
。
【発明の効果】
【００１１】
本発明によれば、簡単な構成で、多数のディスクを収納することができ、しかもディス
クの交換が容易なディスクチェンジャー装置を提供することができる。
【００１２】
つまり、これまでのディスクチェンジャー装置の機能に加えて、ディスクローディング
機能が備わるので、通常のディスクプレーヤとしての働きを持たせることができ、また、
マガジンケースを装置筐体から取り外さなくとも、ディスクを容易に収納したり交換した
りできるようになる。これは、トレイ方式を用いた従来のディスク記録再生装置と同じ動
作であるので、ユーザーに操作上の違和感を与えることは殆どない。
【００１３】
しかも、ディスクローディング部としては、ストロークの長い新規のスライドトレイを
使用し、またスライドトレイがディスク受け渡し位置となったことを検出するディスク受
け渡し位置検出スイッチを追加するのみで済むので、コストダウン及び開発期間の短縮化
を図ることができる。
【発明を実施するための最良の形態】
【００１４】
以下、本発明の実施の形態について、図面を参照しながら説明する。
【実施例１】
【００１５】
図１〜図３は、本発明の実施例１に係るディスクチェンジャー装置の構成及び動作を模
式的に示す図であり、それぞれ右側面断面図で表している。図１は、ディスクをトレイに
装着する動作を示している。また図２は、ディスクをターンテーブルにチャッキングする
動作を示している。さらに図３は、ディスクをマガジンケースへと受け渡す動作を示して
いる。
【００１６】
本実施例のディスクチェンジャー装置は、各図に示すように、ディスクを前後（略水平
方向）に搬送するスライドトレイ１と、ディスクを上下（略垂直方向）に搬送する昇降ト
レイ２と、ディスクを垂直に積み上げる方式で収納するマガジンケース３と、ディスクを
回転駆動して情報の記録或いは再生を行うディスクドライブ４とで主として構成されてお
り、これらが筐体５内に配設されている。
【００１７】
ディスクドライブ４内には、スピンドルモータ６により回転するターンテーブル７と、
ディスクに対して信号を書き込み或いは読み出すピックアップ８が設けられ、これらはト
ラバースメカＴとして、軸Ｏを中心にして上下に回動可能である。また、天井面にはクラ
ンパー９が設けてあり、ターンテーブル７との間でディスクを回転可能にチャッキングす
る。
【００１８】
ディスクドライブ４の上側には、マガジンケース３が設置されており、ここにはディス
クＤが垂直に積み上げられた状態で収納されている。マガジンケース３の前面は開口して
おり、ディスクＤの出し入れが可能である。さらに、マガジンケース３の前方において、
その各段に対向するように昇降トレイ２が昇降可能である。
【００１９】
さて、スライドトレイ１は、これに載置されたディスクを装置の前後方向に搬送するも
のであり、ディスク着脱位置，ディスク受け渡し位置，及びディスクチャッキング位置の
、３つの停止位置を有している。ディスク着脱位置は、筐体５の前面に設けた開口５ａよ
りスライドトレイ１が前方（装置外部）に突出し、ユーザーによるディスクの着脱が可能
となった位置である。
【００２０】
ディスク受け渡し位置は、スライドトレイ１が筐体５の内部に引き込まれ、ディスクド
ライブ４の前方に突出した状態で、昇降トレイ２との間でディスクの受け渡しが可能とな
った位置である。ディスクチャッキング位置は、スライドトレイ１が更に筐体５の奥側に
移動し、ディスクドライブ４の内部に引き込まれ、クランパー９とターンテーブル７との
間でディスクがチャッキング可能となった位置である。
【００２１】
以下、本装置の動作について説明する。まず、図１（ａ）に示すように、スライドトレ
イ１がディスク着脱位置のとき、ユーザーによりディスクＤがスライドトレイ１に載置さ
れる。次に、図１（ｂ）に示すように、スライドトレイ１が筐体５の内部に引き込まれ、
ディスク受け渡し位置となる。この状態から、ディスクＤに対して記録或いは再生を行う
のか、若しくはディスクＤをマガジンケース３に収納するのかにより、以後の動作が異な
ったものとなる。
【００２２】
ディスクＤに対して記録或いは再生を行う場合は、図２（ａ）に示すように、スライド
トレイ１が筐体５の奥側に移動し、ディスクドライブ４の内部に引き込まれ、ディスクチ
ャッキング位置となる。これによりディスクドライブ４にディスクＤが供給される。そし
て、図２（ｂ）に示すように、トラバースメカＴが回動して上昇し、クランパー９とター
ンテーブル７との間でディスクＤがチャッキングされ、記録或いは再生が可能となる。記
録或いは再生済みのディスクＤを装置外へ排出するには、以上と逆の動作を行えば良い。
【００２３】
一方、ディスクＤをマガジンケース３に収納する場合は、図１（ｂ）の状態から、図示
しないディスク受け渡し機構を用いて、図３（ａ）に示すように、ディスクＤをスライド
トレイ１からその直上に位置する昇降トレイ２へと受け渡す。そして、図３（ｂ）に示す
ように、昇降トレイ２がマガジンケース３の空いている段に対向する位置まで上昇する。
最後に、図３（ｃ）に示すように、昇降トレイ２は搬送したディスクＤをマガジンケース
３の当該空いている段に収納する。マガジンケース３に収納されているディスクＤを装置
外へ取り出すには、以上と逆の動作を行えば良い。
【００２４】
さらに、図２（ａ），（ｂ）の状態になる動作と、図３（ａ），（ｂ），（ｃ）の状態
になる動作とを、図１（ｂ）の状態を介して組み合わせることにより、従来のディスクチ
ェンジャー装置としての動作が可能である。即ち、マガジンケース３に収納されている任
意のディスクＤを取り出して記録或いは再生し、その後、元の位置に戻すといったこと等
が可能である。なお、本実施例ではマガジンケースにディスクを直接収納する方式として
図示を行ったが、これに限定されるものでは勿論なく、例えばディスクを専用のトレイに
載せた状態で収納する方式としても構わない。
【００２５】
従来のディスクチェンジャー装置では、スライドトレイの停止位置がディスク受け渡し
位置及びディスクチャッキング位置の２つしかなく、マガジンケースとディスクドライブ
との間でディスクをやり取りするのみであったが、本発明のようにディスク着脱位置を追
加することにより、ディスクに対してフレキシブルに対応することが可能となる。
【００２６】
つまり、これまでのディスクチェンジャー装置の機能に加えて、ディスクローディング
機能が備わるので、通常のディスクプレーヤとしての働きを持たせることができ、また、
マガジンケースを装置筐体から取り外さなくとも、ディスクを容易に収納したり交換した
りできるようになる。これは、トレイ方式を用いた従来のディスク記録再生装置と同じ動
作であるので、ユーザーに操作上の違和感を与えることは殆どない。
【００２７】
しかも、ディスクローディング部としては、ストロークの長い新規のスライドトレイを
使用し、またスライドトレイがディスク受け渡し位置となったことを検出するディスク受
け渡し位置検出スイッチを追加するのみで済むので、コストダウン及び開発期間の短縮化
を図ることができる。
【図面の簡単な説明】
【００２８】
【図１】本発明の実施例１に係るディスクチェンジャー装置の構成及び動作を模式的に示す図（ディスク装着動作）。
【図２】本発明の実施例１に係るディスクチェンジャー装置の構成及び動作を模式的に示す図（ディスクチャッキング動作）。
【図３】本発明の実施例１に係るディスクチェンジャー装置の構成及び動作を模式的に示す図（ディスク受け渡し動作）。
【符号の説明】
【００２９】
１    スライドトレイ
２    昇降トレイ
３    マガジンケース
４    ディスクドライブ
５    筐体
６    スピンドルモータ
７    ターンテーブル
８    ピックアップ
９    クランパー
Ｄ    ディスク
Ｏ    軸
Ｔ    トラバースメカ
【図１】
2006331526.tif 000003
【図２】
2006331526.tif 000004
【図３】
2006331526.tif 000005